(57)【特許請求の範囲】
【請求項１】
筆記具本体と、該筆記具本体に設けられたクリップ本体と、前記筆記具本体と前記クリップ本体で構成され衣服の胸ポケット等の被挟持物を挟持し得る挟持手段とを備えた筆記具において、
前記挟持手段は被挟持物の挿入方向手前側に設けられ前記被挟持物の挿入方向手前から奥に向かって次第に高さを高くした傾斜面を有する案内部と、該案内部の近傍に位置するとともに被挟持物の挿入方向奥側に設けられた保持部とを具備し、
前記案内部と前記保持部とが連続して一つの凸部を形成するとともに当該凸部の頂点を境にして前記案内部と前記保持部とをそれぞれ形成してなり、前記保持部の表面摩擦抵抗を前記案内部の表面摩擦抵抗より高くしたことを特徴とする筆記具。
【請求項２】
前記案内部が前記被挟持物の挿入方向手前から奥に向かって次第に高さを高くした傾斜面を具備してなることを特徴とする請求項１記載の筆記具。
【請求項３】
前記凸部が側面視略半円形状を成すことを特徴とする請求項２記載の筆記具。
【請求項４】
前記保持部が軟質系合成樹脂で構成されてなることを特徴とする請求項１、２または３記載の筆記具。
【請求項５】
前記案内部が硬質系合成樹脂で構成され、前記保持部とともに二色成形により形成したことを特徴とする請求項４記載の筆記具。
【請求項６】
筆記具本体とともに衣服の胸ポケット等の被挟持物を挟持し得る挟持手段を構成し得るものであり、クリップ本体と、筆記具本体に取付けられる取付部とを備えた筆記具用クリップにおいて、
前記クリップ本体は被挟持物の挿入方向手前側に設けられた案内部と、該案内部の近傍に位置するとともに被挟持物の挿入方向奥側に設けられた保持部とを具備し、
前記案内部と前記保持部とが連続して一つの凸部を形成するとともに当該凸部の頂点を境にして前記案内部と前記保持部とをそれぞれ形成してなり、前記保持部の表面摩擦抵抗を前記案内部の表面摩擦抵抗より高くしたことを特徴とする筆記具用クリップ。
【請求項７】
前記案内部が前記被挟持物の挿入方向手前から奥に向かって次第に高さを高くした傾斜面を具備してなることを特徴とする請求項６記載の筆記具用クリップ。
【発明の詳細な説明】
【０００１】
【発明の属する技術分野】
本発明は、紙片や衣服の胸ポケットの縁部等を保持可能なクリップを備えた筆記具に関するものである。
【０００２】
【従来の技術】
従来、筆記具本体と、該筆記具本体に設けられたクリップ本体と、前記筆記具本体と前記クリップ本体で構成され衣服の胸ポケット等の被挟持物を挟持し得る挟持手段とを備えた筆記具が知られている。
【０００３】
このような筆記具においては、筆記具本体とクリップ本体とが共に合成樹脂等の単一の素材で一体成形により構成されることが多い。又、クリップ本体が、筆記具本体とは別部材として設けられることもある。この場合、クリップ本体は合成樹脂や金属等から形成されており、クリップ本体に設けられた取付部を介して筆記具本体に嵌合する等して適宜取付けられている。
【０００４】
しかして、筆記具を衣服の胸ポケットの中等に収納させておくには、ポケットの縁部等の被挟持物を筆記具本体とクリップ本体との間に形成される保持領域内に挿入すべく筆記具を操作する。ここで具体的に保持領域とは、筆記具本体とクリップ本体とによって部分的に囲まれる領域を指している。話しを戻して、例えば胸ポケット内に筆記具を安定して位置させるには、筆記具の保持領域の開口を下に向け筆記具を降下させることで保持領域内に胸ポケットの縁部を挿入させ、被挟持物を挟持手段によって保持させている。このとき、挟持手段の表面摩擦抵抗や挟持力に抗して被挟持物を挿入させている。さらに、挿入後は、これら表面摩擦抵抗と挟持力によって胸ポケットの縁部が保持され、筆記具が胸ポケット内の定位置に存することとなる。なお、筆記具を胸ポケットから取り出す際には、挿入時と逆の操作を行うようにしている。
【０００５】
【発明が解決しようとする課題】
しかしながら、これらの筆記具においては、挟持手段の表面摩擦抵抗が保持領域の同一面内では略一定である為、筆記具の挿入時と取出時のいずれの場合においても筆記具を挿入する際に必要する力と筆記具を取出すときに必要する力が略同じになる。したがって、筆記具を挿入しやすく構成すると、逆に筆記具が抜けやすくなりクリップとしての機能を果たさなくなる不具合が生じる。または、筆記具を抜けにくくなるように構成すると、逆に挿入時において被挟持物の端部が折れ、挿入が困難になる等といった不具合が生じる。
【０００６】
【課題を解決するための手段】
以上のような問題に鑑みて本発明では、筆記具本体とクリップ本体とで構成され衣服の胸ポケット等の被挟持物を挟持し得る挟持手段が、被挟持物の挿入方向手前側に設けられた案内部と、該案内部の近傍に位置するとともに被挟持物の挿入方向奥側に設けられた保持部とを具備し、前記案内部と前記保持部とが連続して一つの凸部を形成するとともに当該凸部の頂点を境にして前記案内部と前記保持部とをそれぞれ形成してなり、前記保持部の表面摩擦抵抗を前記案内部の表面摩擦抵抗より高くしたことを前提とする筆記具を提供するものである。
さらに本発明では、案内部及び保持部をクリップ本体側に設けたものとして、筆記具本体とともに衣服の胸ポケット等の被挟持物を挟持し得る挟持手段を構成し得るものであり、クリップ本体と、筆記具本体に取付けられる取付部とを備えた筆記具用クリップにおいて、前記クリップ本体は被挟持物の挿入方向手前側に設けられた案内部と、該案内部の近傍に位置するとともに被挟持物の挿入方向奥側に設けられた保持部とを具備し、前記案内部と前記保持部とが連続して一つの凸部を形成するとともに当該凸部の頂点を境にして前記案内部と前記保持部とをそれぞれ形成してなり、前記保持部の表面摩擦抵抗を前記案内部の表面摩擦抵抗より高くしたことを特徴とする筆記具用クリップを提供するものである。
【０００７】
このようなものであれば、被挟持物の挿入し始めには摩擦抵抗の低い案内部に沿ってスムースに被挟時物を挿入領域に挿入することが出来ると共に、さらに案内部を越えると摩擦抵抗の高い保持部に接触することとなり安定的に被挟持物を保持することが出来る。
【０００８】
また、摩擦抵抗の高い保持部に被挟持物を導くには、その摩擦抵抗が高いがゆえに被挟持物の端部が折れ曲がったりして挿入が困難となるが、このような摩擦抵抗の高い保持部へも確実に被挟持物を誘導すべく案内部が設けられているので、被挟持物の端部が折れ曲がり挿入が出来なくなったり、被挟持物が紙等の場合にあっては皺の発生や破損を防止することが出来る。
【０００９】
そして、保持部への案内をよりスムースにするため、前記案内部が前記被挟持物の挿入方向手前から奥に向かって次第に突出する突出高さを高くした傾斜面を有してなることが望ましい。
【００１０】
加えて本発明に係る筆記具は、前記凸部を側面視略半円形状にすることが望ましい。
【００１１】
被挟持物の保持部への挿入を容易にするとともに局所的に被挟持物を保持するには、前記保持部が凸形状をなすことが望ましい。ここで、凸形状とは筆記具本体とクリップ本体との間隙を狭める方向に突出するものである。
【００１２】
また、前記保持部の表面に特別な加工を施すことなく適度な摩擦力を容易に得るには、前記保持部を軟質系合成樹脂で構成することが望ましい。
【００１３】
さらに、製造を簡素化するには、前記案内部が硬質系合成樹脂で構成され、前記保持部とともに二色成形により形成することが望ましい。
【００１４】
【発明の実施の形態】
以下、本発明の一実施の形態について図面を参照して説明する。
本実施形態に係る筆記具は、図１〜図４に示すような後部をノックすることで芯を繰出すことが可能なノック式シャープペンシルである。
【００１５】
なお、以下の説明において特にことわりが無き場合は、ペン先の端を先端とし、その反対側の端を後端とする。
【００１６】
このシャープペンシルP１は、図１〜図３に示すように筆記具本体１とクリップ本体２と前記筆記具本体１と前記クリップ本体２で構成される挟持手段３とから構成されるものである。
【００１７】
筆記具本体１は芯繰出機構４と消ゴム繰出機構５とこれら芯繰出機構４及び消ゴム繰出機構５を内部に収容する筆記軸６とを具備している。
【００１８】
芯繰出機構４は図２及び図３に示すように先端側から順にバックチャック４１、コネクタ４２、スプリング４３、芯タンク４４からなり、ノック動作によってバックチャック４１を開閉させ芯を繰出す周知の構造のものである。
【００１９】
消ゴム繰出機構５は図２及び図3に示すように 芯タンクの後端に取付けられるものであって、先端側から順に回転スリーブ５１、スクリュー５２、消しゴム５３からなり、前記回転スリーブ５１と前記スクリュー５２の相対回転により消しゴムを繰出す周知の構造のものである。
【００２０】
筆記軸６は図１〜図３に示すように長手方向中央付近を先端部及び後端部より僅かに細径にした円筒状をなすものであり、使用者が筆記の際に指先で把持されるグリップ６１と前記グリップ６１の後端側に設けられて使用者の人差指と親指の間の指間部位を指示する軸筒６２と後述するクリップ２と挟持手段構成する凸部６３とを具備している。
【００２１】
前記グリップ６１は先端側を絞り込んだ略円錐形状をなす中空のもので、先端には長手方向の軸芯に沿って芯を挿入可能な貫通孔６１１aを備えた略キノコ型を成すフロントチャック６１１を具備しており、後端側の内面には後述する軸筒６２と螺合する雌ネジ部６１２が設けられている。また、前記グリップ６１は硬質系合成樹脂（例えばＰＰ、ＰＥ、ＰＭＭＡ等）と軟質系合成樹脂（例えばエラストマー）から形成されるものであり、前記グリップ６１の表面６１３の略全面に軟質系合成樹脂が露出するようになっている。さらに、前記表面６１３には、前記グリップ３１の後部側であって長手方向及び円周方向に沿って間欠的に設けられた凹部６１４と先端側であって長手方向に間欠的に設けられ円周方向に円周を略二分するように延びるスリット部６１５が形成されている。このように前記グリップ６１を構成することによって、使用者の指のすべりを防止すると共に指あたりがソフトな感触を使用者に与えることができる。
【００２２】
前記軸筒６２は、長手方向に延びる円筒状のもので、先端側の小径部６２１と前記小径部６２１に連続して後端側に延びる大径部６２２とからなる。前記小径部６２１は、その先端側を前記グリップ６１に挿入される挿入部６２１aと後端側に前記グリップ６１の雌ネジ部６１２と螺合する雄ネジ部６２１ｂとを具備している。この大径部６２２は前記芯繰出機構４及び前記消しゴム繰出機構５を内部に収容可能な中空円筒形状をなすものであり、その表面６２２aは硬質部６２４及び軟質部６２５から構成されている。具体的に軟質部６２５は前記大径部６２２の先端周縁に沿って設けられた先端周縁部６２５aと後端周縁に沿って設けられた後端周縁部６２５bと前記先端周縁部６２５a及び後端周縁部６２５bの一部を長手方向に沿って連続させる帯状の連続部６２５ｃとからなり、それぞれを滑らかな曲線で連続させた軟質系合成樹脂（例えばエラストマー）からなるものである。なお、前記連続部６２５ｃは後述するクリップ本体２の対向する位置に設けられる。そして、前記軸筒６２の軟質部６２５以外の箇所には、硬質系合成樹脂（例えばＰＰ、ＰＳ、ＰＭＭＡ等）からなる硬質部６２４が形成される。特に前記連続部６２５ｃの反対側の位置では使用者の人差し指及び親指の指間部位が当接する指間当接部６２４bとして構成される。なお、前記先端周縁部６２５aと前記連続部６２５ｃとの交わる部位には、略たまご型形状をした硬質部６２４aが形成されている。
【００２３】
前記凸部６３は、大径部６２２の長手方向中央からやや後方位置に形成されている。そして、前記凸部６３の略頂点を境とし、先端側に被挟持物の案内面となる傾斜面６３１aを備えた案内部６３１を硬質系合成樹脂で構成してなり、後端側にその摩擦力で被挟持物を保持する保持部６３２を軟質系合成樹脂で構成している。全体としてその形状は、全体を滑らかなRによって構成された側面視略半円形状に構成されている。
【００２４】
クリップ本体２は、前記筆記具本体１の後端側に設けられ、平面視において先端が次第に幅狭になるように形成した板状のものであり、基端部２１を前記軸筒６２と一体的に形成し、筆記具本体１と略平行にかつ先端側を前記凸部６３と重合する位置にまで延出させている。なお、前記クリップ本体２の内面２２には前記凸部６３より先端側の部位に、前記内面２２から筆記具本体側へ向けて突出する押圧部２３が形成されている。さらに、クリップ本体２は全体を硬質系合成樹脂で形成されている。
【００２５】
狭持手段３は、前記筆記具本体１と前記クリップ本体２とで構成され、具体的には前記筆記具本体１の表面に設けられた前記凸部６３と前記クリップ本体２の内面６２５で構成されている。
【００２６】
なお、上述した筆記具（シャープペンシルP１）においては硬質系合成樹脂で形成される部位と軟質系合成樹脂で構成される部位とが混在しているが、これらの部位は二色成形により形成されている。
【００２７】
次に筆記具に衣服の胸ポケット等の被挟持物を挿入する動作について説明する。まず、被挟持物を前記クリップ本体２の弾性に抗して先端側から後端側に向かって挿入する。次に、被挟持物の端部は前記凸部６３に設けられた傾斜面６３１aに沿ってクリップ本体２に接近し前記凸部６３の略頂点付近に達したところで前記保持部６３２に接触する。さらに挿入を進め前記被挟持物の先端が前記クリップ本体２の基端部２１に当接したところで挿入は完了する。したがってこの状態で被挟持物には前記クリップ本体２の弾性による挟みこむ力と前記保持部６３２の摩擦力によって筆記具は安定的に保持されることとなる。
【００２８】
なお、本実施例では、クリップ本体２の先端部に押圧部２３を設け、前記押圧部２３に対向する前記筆記具本体の位置にも軟質系合成樹脂からなる軟質部６２５ｃを設けている。これにより、被挟持物を保持する際には押圧部２３が弾性により被挟持部を軟質部６２５ｃに押圧することとなり被挟持物の保持力をより高めている。
【００２９】
以上のように本実施形態のシャープペンシルＰ１は、筆記具本体１とクリップ本体２とで構成され衣服の胸ポケット等の被挟持物を挟持し得る挟持手段３が、被挟持物の挿入方向手前側（先端側）に設けられた案内部６３１と、該案内部６３１の近傍に位置するとともに被挟持物の挿入方向奥側（後端側）に設けられた保持部６３２とを具備してなり、前記保持部６３２の表面摩擦抵抗を前記案内部６３１の表面摩擦抵抗より高く設定しているので、被挟持物の挿入し始めには摩擦抵抗の低い案内部６３１に沿ってスムースに被挟時物を挿入領域に挿入することが出来ると共に、さらに案内部６３１を越えると摩擦抵抗の高い保持部６３２に接触することとなり安定的に被挟持物を保持することが出来る。また、摩擦抵抗の高い保持部６３２に対しても案内部６３１があることによって被挟持物が確実に保持部６３２まで導かれ、被挟持物の端部が折れ曲がり挿入が出来なくなったり、被挟持物が紙等の場合にあっては皺の発生や破損を防止することが出来る。
【００３０】
また、前記保持部６３２が凸形状をしているので、被挟持物を案内部６３１から保持部６３２への誘導する際にも、過度に保持部の摩擦力を受けることがなく被挟持物を移動させることが出来る。さらに、本実施例において凸形状は、実質的に被挟持物に保持力を与える突出端として機能することから、被挟持物を保持するうえでも十分な保持力を得ることが出来る。
【００３１】
また、前記案内部６３１には前記被挟持物の先端側から後端側に向かって次第に高さを高くした傾斜面６３１aを具備しているので、保持部６３２への案内をよりスムースにすることが出来る。
【００３２】
特に、前記案内部６３１と前記保持部６３２が側面視略半円形状をなすべく連続して一つの凸部６３を形成しているので、被挟持物の保持部６３２への挿入を容易にするとともに局所的に被挟持物を保持することが出来る。さらには、挟持手段３の構造を複雑にすることなく簡素でコンパクトに構成することが出来る。
【００３３】
また、案内部６３１及び硬質部６２４を硬質系合成樹脂で構成し、保持部６３２及び軟質部６２５を軟質系合成樹脂で構成したので、前記保持部６３２の表面に特別な加工を施すことなく適度な摩擦力を得ることが出来る。
【００３４】
さらに、二色成形により製造すれば部品点数の省略化や金型を増やすことも無く安価に製造することが可能となるので、ユーザーに対して従前にない優れた機能を備えたシャープペンシルＰ１を低価格で提供出来るようになる。
【００３５】
なお、各部の具体的な構造は、上述した実施形態に限定されるものではなく、本発明の趣旨を逸脱しない範囲で種々変形が可能である。
【００３６】
例えば、上記実施の形態ではシャープペンシルＰ１について説明したが、これに限らず図５及び図６に示すようにボールペンＰ２についても適用される。このボールペンＰ２について簡単に説明すると、前記ボールペンＰ２は、後端に設けられたノック部７を操作することによりペン先９を出し入れ可能にする周知のノック機構８を備えたものである。その他の部位についてはシャープペンシルＰ１と同様な為、説明を省略する。
【００３７】
また、筆記具本体１に対してクリップ本体２が別部材として構成されるのはもちろんのこと、筆記具本体１としてはキャップ（図示しない）も含まれる概念である。
【００３８】
さらに、案内部６３１及び保持部６３２は筆記具本体１側に設けられる例を説明したが、クリップ本体２側に設けても良いのは勿論であり、どちらか一方をクリップ本体２側に設け、他方を筆記具本体１側に設けても良い。
【００３９】
【発明の効果】
本発明は、以上説明した構成であるから、紙片や衣服のポケット等の被挟持物をスムースに挿入領域に挿入することが出来ると共に、挿入後は安定的に被挟持物を保持することが出来るので、挿入し易く、抜け難いという従来のクリップにはない優れた機能を備えた筆記具を提供することが出来る。
【図面の簡単な説明】
【図１】本発明の一実施形態における筆記具の側面図。
【図２】同実施形態における筆記具の分解斜視図。
【図３】同実施形態における筆記具の縦断面図。
【図４】同実施形態における筆記具の横断面図。
【図５】本発明の他の実施形態における筆記具の側面図。
【図６】同実施形態における筆記具の分解斜視図。
【符号の説明】
Ｐ１…シャープペンシル（筆記具）
１…筆記具本体
２…クリップ本体
３…挟持手段
６３１…案内部
６３２…保持部
【図１】
0003936598.tif 000002
【図２】
0003936598.tif 000003
【図３】
0003936598.tif 000004
【図４】
0003936598.tif 000005
【図５】
0003936598.tif 000006
【図６】
0003936598.tif 000007